(57)【要約】  【課題】  サドルに被着して、座り心地を改善すると共に、装飾的効果を発揮させる従来のサドルカバーと比較しても遜色ない美麗な外観が得られ、それでいて、必要な時にはサドルカバーの表面を防水シートで覆ってサドルカバーが濡れないようにし、運転時には防水シートを取り去ることにより、雨や夜露による水滴の拭き取りを不要にした不使用時の保管と携帯に便利な防水シート付きサドルカバーを提供する。  【解決手段】  サドル１に被着するサドルカバー２の後側面に、サドルカバー２の同一材質の収納部３を形成し、当該収納部３に、サドルカバー２と収納部３とを覆うことが可能な防水シート４を、その一部が収納部３の内面に取り付けられた状態に収納して、防水シート付きサドルカバーを構成する。  【選択図】  図１
2006027333.tif 000002
【特許請求の範囲】
【請求項１】
サドルに被着するサドルカバーの一部に収納部を形成し、当該収納部に、サドルカバーと収納部とを覆うことが可能な防水シートを、その一部が収納部の内面に取り付けられた状態に収納して成る防水シート付きサドルカバー。
【請求項２】
サドルに被着するサドルカバーの後側面に、サドルカバーの同一材質の開閉可能な収納部を形成し、当該収納部に、サドルカバーと収納部とを覆うことが可能な防水シートを、その一部が収納部の内面に取り付けられた状態に収納して成る防水シート付きサドルカバー。
【発明の詳細な説明】
【技術分野】
【０００１】
本発明は、例えば、オートバイ、スクーター、自転車等のサドルに被着して用いるサドルカバーの防水対策に関する。
【背景技術】
【０００２】
オートバイ、スクーター、自転車等の二輪車のサドルに被着して、座り心地を改善すると共に、装飾的効果を発揮させるためのサドルカバーは、例えば、特許文献１〜３等によって知られている。この種のサドルカバーとしては、走行時の安全上、紐や金具で緊結する等してサドルにシッカリと固定することが要求され、材質としても、厚手の塩ビや引張強度の高い合成繊維等、耐候性、耐久性に富むものが使用される。
【０００３】
しかしながら、従来では、たとえサドルカバーが防水性であっても、屋外駐車・駐輪の間に、雨や夜露でサドルカバーが濡れた場合、そのまま着座すると衣服が濡れて不快であるから、表面に付着した水滴をタオルやハンカチで拭き取ることが必要とされた。
【０００４】
また、屋外に駐車・駐輪する際、サドルに被着しておき、運転時には取り外すことによって、雨や夜露による水滴の拭き取りを不要にしたサドルカバーやシートカバー装置も、特許文献４〜６等によって提案されているが、これらにおいては、次のような問題点があった。
【０００５】
即ち、特許文献４に記載のサドルカバーは、薄いビニールシートによって作製された使い捨て式のサドルカバーであり、特許文献５に記載のサドルカバーは、アルミニウム薄層と断熱性フォームとからなる二層シートで、防水性と断熱性を併せ持つサドルカバーを構成したものであるが、いずれも、不使用時におけるサドルカバーの保管と携帯に不便である。この点、特許文献６に記載のシートカバー装置は、不使用時には、カバーをシートの後部に設けたケース内に巻き取られた状態に収納しておき、必要な時に、ケースから引き出してシートを覆うように構成されているので、不使用時の保管と携帯が容易である。しかしながら、これによる場合は、シートの後部に、横長で背の高いケースが取り付けられているため、ケースがシートへの乗り降りの障害物となり、外観も不体裁である。
【０００６】
【特許文献１】特開２００３−２９１７０９号公報
【特許文献２】特開２００１−１３８９７１号公報
【特許文献３】特開平８−３３２９８０号公報
【特許文献４】特開２００１−１０５６９号公報
【特許文献５】特開２００３−２２６９号公報
【特許文献６】特開平８−１５６８５８号公報
【発明の開示】
【発明が解決しようとする課題】
【０００７】
本発明は、上述した現状の問題点をふまえてなされたものであって、その目的とするところは、外観上は、サドルに被着して、座り心地を改善すると共に、装飾的効果を発揮させる従来のサドルカバーと比較しても遜色なく、それでいて、必要な時にはサドルカバーの表面を防水シートで覆ってサドルカバーが濡れないようにし、運転時には防水シートを取り去ることにより、雨や夜露による水滴の拭き取りを不要にした不使用時の保管と携帯に便利な防水シート付きサドルカバーを提供することにある。
【課題を解決するための手段】
【０００８】
上記の目的を達成するために、本発明では、サドルに被着するサドルカバーの一部に収納部を形成し、当該収納部に、サドルカバーと収納部とを覆うことが可能な防水シートを、その一部が収納部の内面に取り付けられた状態に収納して防水シート付きサドルカバーを構成している。
【０００９】
具体的には、請求項２に記載のとおり、サドルに被着するサドルカバーの後側面に、サドルカバーの同一材質の収納部を形成し、当該収納部に、サドルカバーと収納部とを覆うことが可能な防水シートを、その一部が収納部の内面に取り付けられた状態に収納して、防水シート付きサドルカバーを構成したものである。
【００１０】
尚、サドルカバーの材質としては、厚手の塩ビや引張強度の高い合成繊維等、耐候性、耐久性に富むものが使用されるが、防水シートは、運転時には収納部内に収納されるものであって、防水シートの上に着座しないことを前提としており、サドルカバーのような強度が要求されないので、防水シートの材質としては、例えば、ビニールシートやポリエチレンフィルム等が使用される。
【発明の効果】
【００１１】
請求項１に記載の発明の構成によれば、サドルカバーの一部に収納部を形成して防水シートを収納するため、防水シートを備えていない従来のサドルカバー（サドルに被着して、座り心地を改善すると共に、装飾的効果を発揮させるためのサドルカバー）と比較しても遜色ない外観が得られ、それでいて、屋外に駐車・駐輪する際には、収納部から引き出した防水シートをサドルカバーと収納部に被せておくことにより、サドルカバーや収納部が雨や夜露で濡れるのを防ぐことができ、防水シートの表面に水滴が付着しても、運転時には、防水シートを再び収納部に収納して、サドルカバー上に着座することになるので、水滴の拭き取りが不要であり、しかも、防水シートの一部が収納部の内面に取り付けられているので、防水シートを紛失することもなく、不使用時の保管と携帯に便利である。
【００１２】
殊に、請求項２に記載の発明によれば、サドルカバーの後側面に、サドルカバーの同一材質の収納部を形成するので、収納部が目立たず、美麗な外観が得られることになり、体裁の良い防水シート付きサドルカバーを実現できるのである。
【発明を実施するための最良の形態】
【００１３】
図１〜図５は、本発明に係る防水シート付きサドルカバーの一例を示す。図において、１は、オートバイ、スクーター、自転車等の二輪車のサドルである。２は、サドル１に被着して、座り心地を改善すると共に、装飾的効果を発揮させるためのサドルカバーである。サドルカバー２は、走行時の安全上、紐や金具で緊結する等してサドルにシッカリと固定できるように構成されており、サドルカバー２の材質としては、厚手の塩ビや引張強度の高い合成繊維等、耐候性、耐久性に富むものが使用されている。
【００１４】
サドルカバー２の後側面には、サドルカバー２の同一材質の開閉可能な収納部３が形成されている。図示の収納部３は、蓋部３ａと本体部３ｂとから構成され、面ファスナー３ｃで閉状態を保持できるようになっており、本体部３ｂの底には水抜き孔３ｄが形成されている。４は、サドルカバー２と収納部３とを覆うことが可能な防水シートであり、その一部が収納部３の内面に接着、溶着、縫着等の手段によって取り付けられており、収納部３に収納された状態と、収納部３から引き出して、サドルカバー２と収納部３の全体を覆う状態とに切換自在に構成されている。防水シート４の材質としては、例えば、ビニールシートが使用され、周縁部にはゴム５が付設され、サドルカバー２の上からサドル１に被着できるように構成されている。防水シート４の一部を取り付ける収納部３の内面としては、本体部３ｂの内面でもよいが、図示の例では、蓋部３ａの裏面で且つ面ファスナー３ｃよりも蓋部３ａの付け根側（本体部３ｂの開口側）に防水シート４の一部を取り付けて
ある。
【００１５】
上記の構成によれば、サドルカバー２の後側面にサドルカバー２の同一材質の収納部３を形成して防水シート４を収納するため、防水シートを備えていない従来のサドルカバー比較しても遜色ない美麗な外観が得られ、それでいて、屋外に駐車・駐輪する際には、収納部３から引き出した防水シート４をサドルカバー２と収納部３に被せておくことにより、サドルカバー２や収納部３が雨や夜露で濡れるのを防ぐことができ、防水シート４の表面に水滴が付着しても、運転時には、防水シート４を再び収納部３に収納して、サドルカバー２上に着座することになるので、水滴の拭き取りが不要であり、しかも、防水シート４の一部が収納部３の内面に取り付けられているので、防水シート４を紛失することもなく、不使用時の保管と携帯に便利である。
【００１６】
図示しないが、防水シート４と収納部３の内面（例えば、蓋部３ａの裏面）とをスナップファスナー等で取り付け、防水シート４が破損した場合、防水シート４を新品と交換できるように構成して実施してもよい。
【図面の簡単な説明】
【００１７】
【図１】本発明に係る防水シート付きサドルカバーの一例を示す斜視図である。
【図２】上記防水シート付きサドルカバーをサドルに被着した状態を示す断面図である。
【図３】収納部から防水シートを引き出した状態を示す断面図である。
【図４】防水シートをサドルカバーと収納部に被せた状態を示す断面図である。
【図５】防水シートをサドルカバーと収納部に被せた状態を示す斜視図である。
【符号の説明】
【００１８】
１  サドル
２  サドルカバー
３  収納部
４  防水シート
【図１】
2006027333.tif 000003
【図２】
2006027333.tif 000004
【図３】
2006027333.tif 000005
【図４】
2006027333.tif 000006
【図５】
2006027333.tif 000007